(57)【特許請求の範囲】
【請求項１】
紙葉類を取引処理する取引処理手段と、
内部に前記紙葉類を収納する少なくともひとつの収納手段と、
前記取引処理に応じて前記紙葉類の固有特徴量情報を認識する取引処理時固有特徴量認識手段と、
前記紙葉類の損券レベルを予め定めた正損判定基準情報に基づいて判定する損券レベル判定手段と、
該損券レベル判定手段で判定した紙葉類の損券レベル情報、及び前記取引処理時固有特徴量認識手段で認識した取引処理時固有特徴量情報とを前記紙葉類毎に関連付けて記憶する記憶手段と、
該記憶手段に記憶された前記紙葉類毎の前記取引処理時固有特徴量情報及び前記損券レベル情報を取引処理時情報として、前記収納手段の搬出に応じて、外部に移送する情報移送手段とを備え、
該情報移送手段を、
搬出された前記収納手段に収納された前記紙葉類を確認する際に前記紙葉類の固有特徴量情報を認識する確認時固有特徴量認識手段と、前記紙葉類を正損分離する正損分離手段とを備えた紙葉類仕分け装置に対して、移送することを特徴とする
紙葉類処理装置。
【請求項２】
前記情報移送手段を、
前記紙葉類仕分け装置において、前記確認時固有特徴量認識手段が認識した確認時固有特徴量情報に対応する前記取引処理時固有特徴量情報に関連付けられた前記損券レベル情報及び前記紙葉類を正損分離するための正損分離基準情報に基づいて前記正損分離手段が前記紙葉類を正損分離可能な情報形式で移送する構成とした
請求項１に記載の紙葉類処理装置。
【請求項３】
前記収納手段に、前記記憶手段を備えた
請求項１又は２に記載の紙葉類処理装置。
【請求項４】
紙葉類を取引処理する取引処理手段と、内部に前記紙葉類を収納する少なくともひとつの収納手段と、前記固有特徴量情報を前記取引処理に応じて認識する取引処理時固有特徴量認識手段と、前記紙葉類の損券レベルを予め定めた正損判定基準情報に基づいて判定する損券レベル判定手段とを有する紙葉類処理装置から搬出された前記収納手段に収納された前記紙葉類を確認する際に前記紙葉類の固有特徴量情報を認識する確認時固有特徴量認識手段、
外部からの情報を入力する情報入力手段、及び
前記紙葉類を正損分離するための正損分離基準情報に基づいて前記紙葉類を正損分離する正損分離手段を備え、
前記情報入力手段を、
前記紙葉類処理装置から、該損券レベル判定手段で判定した紙葉類の前記損券レベル情報と、前記取引処理時固有特徴量認識手段で認識した取引処理時固有特徴量情報とを前記紙葉類毎に関連付けた情報形式で出力された取引処理時情報を入力する構成とするとともに、
前記正損分離手段を、
前記情報入力手段から入力された前記取引処理時情報を利用し、前記確認時固有特徴量認識手段が認識した確認時固有特徴量情報に対応する前記取引処理時固有特徴量情報に関連付けられた前記損券レベル情報と、前記正損分離基準情報に基づいて前記紙葉類を正損分離する構成とした
紙葉類仕分け装置。
【請求項５】
前記正損分離基準情報を設定する分離基準設定手段を有し、
該分離基準設定手段で設定した設定正損分離基準情報に基づいて前記紙葉類を正損分離する
請求項４に記載の紙葉類仕分け装置。
【請求項６】
前記損券レベル情報に基づいて前記正損分離基準情報を算定する算定手段を有し、
該算定手段で算定した算定正損分離基準情報に基づいて前記紙葉類を正損分離する
請求項４に記載の紙葉類仕分け装置。
【請求項７】
紙葉類を取引処理する取引処理手段と、内部に前記紙葉類を収納する収納手段と、前記取引処理に応じて前記紙葉類の固有特徴量情報を認識する取引処理時固有特徴量認識手段と、前記紙葉類の損券レベルを予め定めた正損判定基準情報に基づいて判定する損券レベル判定手段と、該損券レベル判定手段で判定した紙葉類の損券レベル情報と、前記取引処理時固有特徴量認識手段で認識した取引処理時固有特徴量情報とを前記紙葉類毎に関連付けて記憶する記憶手段と、該記憶手段に記憶された前記紙葉類毎の前記取引処理時固有特徴量情報及び前記損券レベル情報を、前記収納手段の搬出に応じて、取引処理時情報として外部に移送する情報移送手段とを備えた紙葉類処理装置、及び
搬出された前記収納手段に収納された前記紙葉類を確認する際に前記紙葉類の固有特徴量情報を認識する確認時固有特徴量認識手段と、前記紙葉類処理装置の前記情報移送手段によって移送された前記取引処理時情報を入力する情報入力手段と、該情報入力手段から入力された前記取引処理時情報を利用し、前記確認時固有特徴量認識手段が認識した確認時固有特徴量情報に対応する前記取引処理時固有特徴量情報に関連付けられた前記損券レベル情報及び前記紙葉類を正損分離するための正損分離基準情報に基づいて前記紙葉類を正損分離する正損分離手段とを備えた紙葉類仕分け装置で構成する
紙葉類仕分けシステム。
【請求項８】
前記紙葉類を管理する管理端末を備え、
前記紙葉類処理装置、前記紙葉類仕分け装置及び前記管理端末を通信手段で接続し、
前記管理端末に、
前記通信手段を介して、前記取引処理時情報を受信する受信手段と、
該受信した前記取引処理時情報の前記損券レベル情報に基づいて前記紙葉類を正損分離するための正損分離基準情報を算定する算定手段と、
該算定手段で算定した算定正損分離基準情報を、前記紙葉類仕分け装置に対して前記通信手段を介して送信する送信手段とを備えた
請求項７に記載の紙葉類仕分けシステム。
【請求項９】
前記紙葉類処理装置に、前記紙葉類の真偽を識別する識別手段を備え、
該識別手段で識別した真偽識別結果情報を、
前記取引処理時情報において、前記紙葉類毎の前記損券レベル情報及び前記固有特徴量情報に関連付けて前記記憶手段に記憶した
請求項７又は８に記載の紙葉類仕分けシステム。
【請求項１０】
前記取引処理時情報に、
前記紙葉類を、前記紙葉類の損券レベルを予め定めた前記正損判定基準情報に基づいて判定した時の時間情報を含む
請求項７乃至９のうちいずれかひとつに記載の紙葉類仕分けシステム。
【請求項１１】
前記収納手段に、
内部に収納された紙葉類の各々に対して、前記取引処理時情報を記憶する取引処理時情報記憶手段と、
該取引処理時情報記憶手段で記憶した前記取引処理時情報を外部装置に対して出力する取引処理時情報出力手段とを備えた
請求項７乃至１０のいずれかひとつに記載の紙葉類仕分けシステム。
【発明の詳細な説明】
【技術分野】
【０００１】
本発明は、紙幣などの紙葉類の正損を判別して仕分け処理するための紙葉類処理装置、紙葉類仕分け装置及び紙葉類仕分けシステムに関するものである。
【背景技術】
【０００２】
従来、金融機関の現金運用において、支店の窓口に保管している紙幣や現金自動預払機（ＡＴＭ）等の金融自動機内の紙幣は現金管理の観点から、金融機関の本支店のバックヤードや現金管理業務の委託先である警備会社の現金センタに定期的に回収され精査される。
【０００３】
精査の際には、精査機と称される処理装置にて枚数の確認と帯封処理以外に、正券紙幣と損券紙幣とを仕分けする正損分離処理を行っている。ここで、正券紙幣とは精査処理後、再度市場に流通させても問題のない綺麗な紙幣を示し、損券紙幣とは汚れや破れなどがある損傷紙幣のことを示している。なお、損券紙幣は再流通させず紙幣の発行元へ輸送返却後、廃棄処分される。
【０００４】
現金自動預払機では利用者が入金を行う場合、現金自動預払機に紙幣が投入されると、内部に備えた識別部によって、紙幣の真偽判定と合わせて当該紙幣が正券紙幣であるか損券紙幣であるかを正損判定基準に従って判別する。当該紙幣が損券紙幣である場合、当該取引以降の取引で損券紙幣が出金されることのないよう正券紙幣とは分けて装置内で管理する。
【０００５】
一方、精査機では定められた正損分離基準に従って正券紙幣と損券紙幣を分離する。したがって、処理される回収紙幣に綺麗な紙幣が多いと正券比率が高くなり、汚れた紙幣が多いと損券比率６０が高くなる。損券比率６０が高くなると損券返却時の輸送手間の増加や発行元における再発行費用の増加等、損券比率の変動が問題となる。このような問題に対し、特許文献１では、精査機における正損分離基準を変更できる方法が提案されている。
【０００６】
詳しくは、特許文献１では予め設定された損券比率に基づいて、回収された紙幣の程度に関わらず返却すべき損券紙幣の比率が一定となるよう正損分離基準を設定する方法が提案されている。
【０００７】
また、金融自動機内の現金を回収する際に、移送の完了まで当該紙幣を確実に管理する方法として、紙幣に印刷された記番号に基づいて、金融自動機内で登録された記番号と精査時に認識した記番号とを照合して一致を確認する方法が提案されている（特許文献２参照）。
【先行技術文献】
【特許文献】
【０００８】
【特許文献１】特開２００７−８７２１９号公報
【特許文献２】特許第４５８６１３５号
【発明の概要】
【発明が解決しようとする課題】
【０００９】
従来技術によれば、現金自動預払機内で一度識別された結果、正損分離処理したにも関わらず金融機関の本支店に回収された紙幣について精査機により再度、正損分離処理を行う必要がある。
【００１０】
これは、現金自動預払機による正損判定基準と精査機による正損分離基準が異なることに起因していると考えられる。具体的には、現金自動預払機の正損判定基準は、入金紙幣と出金紙幣を効率よく流用（還流）させ、できる限り現金を補充することなく装置の稼動時間を延長することを目的としている。  
これに対し、精査機の正損分離基準は金融機関の現金運用方針に従い、少しでも損傷した紙幣は損券紙幣として返却するために損券紙幣を検出することを目的としている。
【００１１】
さらには、上述したように、正損分離処理における本質的な目的が異なるだけでなく、金融機関によっては正損分離の区分を単純に正券紙幣と損券紙幣の２種類だけでなく、現金自動預払機や現金自動支払機（ＣＤ）などの自動機の稼動品質を安定させることを目的として、自動機用正券紙幣、主に窓口業務で扱う窓口用正券紙幣、返却処理用の損券紙幣の３種類に分類することもある。
【００１２】
特許文献１に提案された方法によれば、金融機関の実運用に従い、正損分離処理される紙幣の損券比率の変動を抑えることができる。しかしながら、正損分離処理に用いられる精査機等の装置としては、現金自動預払機に搭載された識別部と同様に、枚数検出用センサや真偽判定用センサに加えて正損分離処理用のセンサを備える必要があり、装置としては複雑で高価にならざるを得ない。また、精査機として、正損分離処理を行うデータ処理負荷は少なくとも自動預払機と同程度存在し、高速処理を行う場合には制御部でのデータ処理能力を十分に確保する必要がある。
【００１３】
また、特許文献２によれば、現金自動預払機等の金融自動機から回収する紙幣Ｓを記番号により管理し、精査時に記番号を確認することで、枚数を確実に管理できるだけでなく、例えば、移送途中に盗難等が発生した場合にも被害にあった紙幣を特定できるという利点がある。しかしながら、正損分離処理の観点では、従来技術と同様に正損分離用センサを搭載した精査機にて再度正損分離処理を行わなければならない。
【００１４】
本発明の目的は、上記問題点を解決するものであって、金融自動機等の紙葉類処理装置で一度識別した際に紙幣の持つ固有特徴量と識別結果とを、精査の際には有効活用して正券紙幣と損券紙幣とを分離することができる紙葉類処理装置、紙葉類仕分け装置及び紙葉類仕分けシステムを提供することを目的とする。
【課題を解決するための手段】
【００１５】
前述の目的を達成するために、本発明は、紙葉類を取引処理する取引処理手段と、内部に前記紙葉類を収納する少なくともひとつの収納手段と、前記取引処理に応じて前記紙葉類の固有特徴量情報を認識する取引処理時固有特徴量認識手段と、前記紙葉類の損券レベルを予め定めた正損判定基準情報に基づいて判定する損券レベル判定手段と、該損券レベル判定手段で判定した紙葉類の損券レベル情報、及び前記取引処理時固有特徴量認識手段で認識した取引処理時固有特徴量情報とを前記紙葉類毎に関連付けて記憶する記憶手段と、該記憶手段に記憶された前記紙葉類毎の前記取引処理時固有特徴量情報及び前記損券レベル情報を取引処理時情報として、前記収納手段の搬出に応じて、外部に移送する情報移送手段とを備え、該情報移送手段を、搬出された前記収納手段に収納された前記紙葉類を確認する際に前記紙葉類の固有特徴量情報を認識する確認時固有特徴量認識手段と、前記紙葉類を正損分離する正損分離手段とを備えた紙葉類仕分け装置に対して、移送することを特徴とする。
【００１６】
ここで、紙葉類とは少なくとも紙幣と有価証券を含む。また、固有特徴量情報とは少なくとも紙幣の記番号を含み、個体を特定するためのユニークな情報を指し、バーコードやＩＣチップへ記録された個体情報であってもよい。
【００１７】
また、正損判定基準情報とは、正券紙幣と損券紙幣と判定するための検出項目の定義を指し、正損分離基準情報とは、正券紙幣と損券紙幣を分離して仕分けするための検出項目の定義を指し、例えば、汚れや破れといった損傷要素の種類と、それぞれの損傷要素に対応した検出結果でもよいし、あるいは、損券検知用に定められた複数のセンサと、それぞれのセンサによる検出結果でもよい。
【００１８】
また、取引処理時情報を収納手段の搬出に応じて外部に移送する情報移送手段は、接続した通信回線に対して上記情報を送信出力する送信出力手段、例えば、ＵＳＢメモリ等の外部記憶手段に上記情報を書き出す情報書出し手段、あるいは、収納手段に備えた記憶手段に上記情報を書き出して、収納手段ごと情報を移送する手段等、紙葉類仕分け装置や管理端末等の外部装置に対して、上記情報を移送することのできる手段とすることができる。
【００１９】
さらに、紙葉類仕分け装置に対して情報を移送する情報移送手段は、紙葉類仕分け装置に対して情報を直接移送する情報移送手段や、例えば管理端末等を介して紙葉類仕分け装置に対して情報を間接的に移送する情報移送手段とすることができる。
【００２０】
また、本発明は、紙葉類処理装置から搬出された前記収納手段に収納された前記紙葉類を確認する際に前記紙葉類の固有特徴量情報を認識する確認時固有特徴量認識手段、外部からの情報を入力する情報入力手段、及び前記紙葉類を正損分離するための正損分離基準情報に基づいて前記紙葉類を正損分離する正損分離手段を備え、前記情報入力手段を、前記紙葉類処理装置から、該損券レベル判定手段で判定した紙葉類の前記損券レベル情報と、前記取引処理時固有特徴量認識手段で認識した取引処理時固有特徴量情報とを前記紙葉類毎に関連付けた情報形式で出力された取引処理時情報を入力する構成とするとともに、前記正損分離手段を、前記情報入力手段から入力された前記取引処理時情報を利用し、前記確認時固有特徴量認識手段が認識した確認時固有特徴量情報に対応する前記取引処理時固有特徴量情報に関連付けられた前記損券レベル情報と、前記正損分離基準情報に基づいて前記紙葉類を正損分離する構成とした紙葉類仕分け装置である。  
さらに、本発明は、紙葉類処理装置、及び紙葉類仕分け装置で構成する紙葉類仕分けシステムである。
【００２１】
上述のような構成としたことで、紙葉類仕分け装置では固有特徴量を認識することで損券レベルを検知することなく、紙葉類処理装置で検出した損券レベル情報に基づき正損分離処理を実施することができ、紙葉類仕分け装置を簡素なセンサ構成で実現可能である。
【発明の効果】
【００２２】
本発明によれば、金融自動機等の紙葉類処理装置で一度識別した際に紙幣の持つ固有特徴量と識別結果とを、精査の際には有効活用して正券紙幣と損券紙幣とを分離することができる紙葉類処理装置、紙葉類仕分け装置及び紙葉類仕分けシステムを提供することができる。
【図面の簡単な説明】
【００２３】
【図１】紙幣仕分けシステムの概略構成図。
【図２】現金自動取引装置の制御ブロック図。
【図３】紙幣処理部の概略構成図。
【図４】損券紙幣の一例を示す概略説明図。
【図５】損券レベルを評価指標にした紙幣の分布グラフについての概略説明図。
【図６】紙幣識別情報のデータフォーマットの一例を示す図。
【図７】ホストコンピュータの制御ブロック図。
【図８】紙幣仕分け装置の制御ブロック図。
【図９】正損分離基準を設定する設定画面を示す表示図。
【図１０】紙幣仕分け装置の概略構成図。
【図１１】入金取引処理時の処理動作を示すフローチャート。
【図１２】出金取引処理時の処理動作を示すフローチャート。
【図１３】自動精査時の処理動作を示すフローチャート。
【図１４】紙幣仕分け装置による正損分離処理手順を示すフローチャート。
【図１５】正損分離基準情報の一例を示す図。
【図１６】正損分離基準を２つ持つ場合の正損分離処理手順を示すフローチャート。
【図１７】紙幣処理部で正損分離基準情報を算出する場合の処理動作を示すフローチャート。
【図１８】ホストコンピュータにて正損分離基準を変更する手順を示すフローチャート。
【図１９】正損判定結果を含む紙幣識別情報のデータフォーマットの一例を示す図。
【図２０】紙幣処理部の回収庫及び収納庫にメモリを搭載した場合の概略構成図。
【図２１】ＩＣチップを実装した紙幣を示す概略構成図。
【発明を実施するための形態】
【実施例１】
【００２４】
以下、本発明の一実施例を、図面を参照して説明する。図１は本発明の実施例としての紙幣仕分けシステム１５０の全体像を概略的に示すシステム構成図である。
【００２５】
紙葉類仕分けシステムに対応する本実施例の紙幣仕分けシステム１５０は、銀行の本支店に設置され利用者による入出金取引処理に対応する現金自動取引装置１００と、銀行の本店あるいは支店のバックヤードに設置され、現金自動取引装置１００内の紙幣Ｓを回収し、回収する紙幣Ｓを精査する紙幣仕分け装置２００と、例えば本店等の銀行統括店に設置され、現金自動取引装置１００を統括管理するサーバーとして機能するホストコンピュータ３００とで構成され、それぞれが通信回線４００にて接続されている。
【００２６】
紙幣仕分けシステム１５０のそれぞれの構成要素について、以下において、紙葉類処理装置に対応する現金自動取引装置１００、管理端末に対応するホストコンピュータ３００、紙葉類仕分け装置に対応する紙幣仕分け装置２００の順に説明する。
【００２７】
まず、紙幣仕分けシステム１５０を構成する現金自動取引装置１００の電気的な概略構成を示すブロック図である図２にとともに、現金自動取引装置１００について説明する。
【００２８】
現金自動取引装置１００は、図２に示すように、表示操作部１２０、カード受付部１３０、紙幣処理部１１０、通信部２３、格納部２４、時計２７、並びに、ＲＯＭ２１及びＲＡＭ２２が接続された主制御部２０で構成している。
【００２９】
なお、表示操作部１２０、カード受付部１３０及び紙幣処理部１１０は、装置筐体部に備えられ、紙幣の入出金取引処理を行うための利用者の入力操作や利用者への表示、紙幣やカードの受渡に関与している。
【００３０】
取引処理手段に対応する紙幣処理部１１０は、後述する装置前面に設置されたシャッター１１１の開閉を経て、紙幣入金の受け入れ、返却紙幣や出金紙幣の払い出しを行う処理部である。
【００３１】
表示操作部１２０は、タッチパネルとして機能する液晶ディスプレイで構成され、液晶ディスプレイに種々の文字情報と画像情報を表示するとともに、利用者による入出金取引処理に伴う入力操作を受け付ける構成である。
【００３２】
カード受付部１３０は、カード搬送機器とカード読取機器を備え、入出金取引処理に際して利用者によって挿入された磁気ストライプカードやＩＣ内蔵カードを受け付け、入出金取引処理後にカードを利用者に返却する。このカード受付部１３０には、明細帳票に入出金明細事項を記入して帳票を排出する明細書発行機器が併設されている。
【００３３】
紙幣処理部１１０、表示操作部１２０及びカード受付部１３０は後述する主制御部２０に接続され、紙幣処理部１１０におけるシャッター開閉や、表示操作部１２０での表示、カード受付部１３０でのカード受付・返却は、主制御部２０からの制御信号に基づいて実行される。
【００３４】
記憶手段に対応する格納部２４は、紙幣処理部１１０から得られる紙幣識別情報２５や、カードリーダ受付部１３０にて読み取られた入出金取引者情報や時計２７から得られる取引日時情報などの取引管理情報２６が記録される。  
情報移送手段に対応する通信部２３は、格納部２４に格納される紙幣識別情報２５及び取引管理情報２６を、取引処理時情報として、通信手段に対応する通信回線４００を介して送信する。
【００３５】
主制御部２０は、コンピュータを用いて構成され、各種装置の統括制御を担い、主制御部２０の動作プログラム等を記録したＲＯＭ２１、主制御部２０が各部を制御する制御データを読み書き可能に記録するＲＡＭ２２が接続されている。
【００３６】
主制御部２０は、これら機器との間でデータ通信しながら、紙幣の入出金はもとより、紙幣入出金に伴うカードや通帳の受付・払出、後述の紙幣の真偽判定等の制御を行うとともに、通信回線４００を介してホストコンピュータ３００に取引処理時情報を送信する。
【００３７】
続いて、紙幣処理部１１０の機構を示す構造図である図３を用いて構成要素の説明と紙幣搬送の仕組みについて説明する。  
図３に示すように、紙幣処理部１１０は、識別部１０、シャッター１１１の下方の入金口１１２、出金返却口１１３、並びに収納手段に対応する一時保留部１１５及び収納部１１８で構成し、入金口１１２及び出金返却口１１３と一時保留部１１５、収納部１１８との間において、紙葉類に対応する紙幣Ｓを搬送する。
【００３８】
損券レベル判定手段に対応する識別部１０は、紙幣Ｓの真偽を判別する真偽判別センサ３（識別手段に対応）、紙幣Ｓに印刷され、固有特徴量情報に対応する記番号を読み取るための記番号読取センサ１（取引処理時固有特徴量認識手段に対応）、及び紙幣Ｓの正損分離処理を行うための損券検知センサ２（損券レベル判定手段に対応）を内蔵している。この実施例では、真偽判定センサ３、記番号読取センサ１、損券検知センサ２を分けて構成しているが、同一センサにより構成してもよい。
【００３９】
入金口１１２は、入金時に利用者によって投入された入金紙幣を受け入れる受入口である。  
出金返却口１１３は、利用者への返却紙幣が搬送されるとともに、出金時には出金紙幣が出金返却口１１３に払い出される排出口である。
【００４０】
一時保留部１１５は、識別部１０による紙幣読取の結果、後述するように真券紙幣と判別された紙幣Ｓを一時的に保管する保留部である。  
回収庫１１６は、入金取引処理時や出金取引処理時に識別部１０により損券紙幣と判別された紙幣Ｓを収納・保管する回収用の収納庫である。
【００４１】
収納部１１８は、回収庫１１６と収納庫１１７Ａ〜１１７Ｃとで構成している。  
収納庫１１７Ａ〜１１７Ｃは、現金自動取引装置１００が取り扱う紙幣の金種毎に装備され、入金紙幣を金種毎に収納・保管する収納庫である。なお、本実施例では、三種類の金種の紙幣を取り扱うことを想定しているので、三つの収納庫１１７Ａ〜１１７Ｃを装備している。
【００４２】
上記構成の紙幣処理部１１０において、紙幣Ｓを入金する場合について説明する。  
紙幣処理部１１０の入金口１１２に紙幣Ｓが投入されると、入金口１１２から紙幣Ｓを１枚ずつ分離して識別部１０に搬送する。
【００４３】
識別部１０では紙幣Ｓの真偽や金種等の複数項目の判定が行われ、それらの判定結果から紙幣Ｓが正常な真券紙幣であるか、異常な偽券紙幣であるか、正常である場合には更に正券紙幣であるか損券紙幣であるか識別する。識別部１０による真偽判定の結果、金種判定が不可であった紙幣Ｓや、例えば、寸法異常などによって真偽判定で偽券紙幣と判定された紙幣Ｓは、振り分けゲート１１４によって出金返却口１１３まで返却搬送される。これにより、上記紙幣Ｓは利用者に返却される。
【００４４】
その一方、真券紙幣であると判定された紙幣Ｓは、一時保留部１１５まで搬送される。  
一時保留部１１５に搬送された入金紙幣Ｓは、表示操作部１２０（図１）に表示された入金金額を確認した利用者によって入金確定指示操作が入力されると、一時保留部１１５から１枚ずつ繰出され、改めて識別部１０を通過し、収納部１１８へ搬送される。
【００４５】
識別部１０による再度の識別により正券紙幣と判別された紙幣Ｓは、振り分けゲート１１４の駆動により、金種情報に従って対応する収納庫１１７Ａ〜１１７Ｃのいずれかに収納され、紙幣に汚れや破れがあり次取引以降の出金取引処理には適さない損傷紙幣は損券紙幣と判定され、回収庫１１６に搬送されて保管される。
【００４６】
一方、紙幣Ｓを出金する場合には、収納庫１１７Ａ〜１１７Ｃのいずれかから紙幣Ｓが１枚ずつ分離され、識別部１０へ搬送される。識別部１０は紙幣Ｓの状態を確認し、正常な正券紙幣と判定された紙幣Ｓを出金返却口１１３へ搬送する。それ以外の損券紙幣は一時保管庫１１５へ一旦搬送され、その後に再び識別部１０を経由し、識別部１０の識別結果情報によって収納庫１１７Ａ〜１１７Ｃへ収納されるか、或いは回収庫１１６に回収される。
【００４７】
ここで、識別部１０で判別する損券紙幣及び正損分離処理について、損券紙幣の代表例を示す図４、及び損券レベルを評価指標にした紙幣の分布グラフを示す図５とともにさらに詳しく説明する。  
なお、現金自動取引装置１００で実施する正損分離処理とは、真偽判定により真券紙幣と偽券紙幣に区分された紙幣のうち真券紙幣を、予め定められた正損判定基準に基づいて正券紙幣であるか損券紙幣であるかを判定し、物理的に正券紙幣と損券紙幣を区分することを指す。
【００４８】
損券紙幣は、図４（ａ）に示すように、紙幣表面に汚れ５０がある汚れ損券紙幣Ｓ０、図４（ｂ）に示すように、紙幣の一部に破れ５１がある破れ損券紙幣Ｓ１、図４（ｃ）に示すように、紙幣の一部に折れ５２がある折れ損券紙幣Ｓ２、図４（ｄ）に示すように、紙幣の一部に穴５３がある穴損券紙幣Ｓ３などが代表される。
【００４９】
現金自動取引装置１００の識別部１０は、損券検知センサ２によって汚れ５０、破れ５１、折れ５２、穴５３を検知し、損傷の程度を損券レベル（損券レベル情報に対応）として検出する。  
損券レベルは、例えば、破れ５１の大きさ、穴５３の大きさ等を数値で評価する指標であり、数値が大きくなるほど損傷の程度が悪くなることを示している。
【００５０】
例えば、汚れ損券紙幣Ｓ０について損券レベル毎に紙幣Ｓを計数した際の分布グラフである図５（ａ）に示すように、汚れ損券紙幣Ｓ０に対する正損判定基準を損券レベル７とすると、斜線で示す損券比率６０の範囲に含まれる紙幣Ｓは汚れ損券紙幣Ｓ０として判別される。
【００５１】
破れ損券紙幣５１の場合の分布グラフである図５（ｂ）、穴損券紙幣５２の場合の分布グラフである図５（ｃ）、折れ損券紙幣５３の場合の分布グラフである図５（ｄ）、上記の４種類の損券紙幣について総合評価した結果についての分布グラフである図５（ｅ）に示すように、損券紙幣の種類毎に紙幣分布及び損券比率６０の範囲は異なり、損券紙幣を定量的に分離する場合には損券紙幣の種類毎に正損判定基準を設定する必要があることが分かる。なお、上述の四種類に加えて、損券紙幣の種類としてはテープ損券紙幣や落書き損券紙幣などがあるが、ここで示した損券紙幣以外の場合も同様に適用可能である。
【００５２】
次に、上述のような損券レベルを損券レベル情報として、格納部２４に記憶する紙幣識別情報２５のデータフォーマット（情報形式に対応）について、紙幣識別情報２５のデータフォーマットの一例を示す図６とともに説明する。
【００５３】
取引処理時情報に対応する紙幣識別情報２５は、現金自動取引装置１００が設置されている支店の管理番号を示す支店管理番号情報３０、支店内の現金自動取引装置の管理番号を示す装置管理番号情報３１、認識した紙幣Ｓの記番号を示す記番号情報３２（取引処理時固有特徴量情報に対応）、当該紙幣Ｓの真偽判定結果を示す真偽判定結果情報３３（真偽識別結果情報に対応）、当該判定を行った日時に関する日時情報３５（時間情報に対応）、及び上述した損券検知センサ２の出力に基づく各損券判定要素の損券レベルを示す損券レベル情報３４で構成している。
【００５４】
このようなデータフォーマットで各種データ情報を紙幣識別情報２５として記憶することにより、紙幣Ｓの記番号情報と、真偽判定結果情報及び損券レベル情報とを関連付けて管理することができる。
【００５５】
なお、上述の説明では、汚れ５０や折れ５２などの各損券判定要素の損券レベル情報３４を紙幣識別情報２５としたが、例えば、光学センサの透過率や反射率等の損券検知センサ２毎のセンサ出力情報を紙幣識別情報としてもよい。
【００５６】
次に、紙幣仕分けシステム１５０の構成要素であるホストコンピュータ３００について、ホストコンピュータ３００のブロック図を示す図７とともに説明する。  
ホストコンピュータ３００は、主制御部３５０、データを格納するデータ格納部３１０、データの受け渡しを行う通信部３５１（受信手段及び送信手段に対応）、主制御部３５０の動作プログラム等を記録したＲＯＭ３５２、主制御部３５０が各部を制御する制御データを読み書き可能に記録するＲＡＭ３５３、管理者が紙幣識別情報２５の集計結果を視認するための表示部３５４、及び管理者による指示操作を入力許容する管理者入力部３５５を備えている。
【００５７】
主制御部３５０は、データ格納部３１０、通信部３５１、ＲＯＭ３５２、ＲＡＭ３５３、表示部３５４、及び管理者入力部３５５がそれぞれ接続され、ＲＯＭ３５２に記憶した動作プログラムによって、これらを制御する。また、主制御部３５０は、各支店の現金自動取引装置１００から紙幣識別情報２５と取引管理情報２６とを関連付けた取引処理時情報を、通信部３５１を介して受信し、データ格納部３１０に格納して管理する。
【００５８】
管理者入力部３５５は、例えば、後述の正損分離基準情報を作成するためにデータ集計管理を行う際における管理者による指示情報の入力操作を許容する入力部である。
【００５９】
続いて、紙幣仕分けシステム１５０の構成要素である紙幣仕分け装置２００について、紙幣仕分け装置２００の電気的構成を示したブロック図である図８、及び紙幣仕分け装置２００の機構を示す構造図である図１０とともに説明する。
【００６０】
紙幣仕分け装置２００は、本店あるいは特定の支店のバックヤード等、現金自動取引装置１００から紙幣Ｓが回収される場所に設置され、回収された紙幣Ｓの計数、真偽判定、正損分離処理といった精査業務を行う装置である。
【００６１】
紙幣仕分け装置２００は、図８に示すように、紙幣仕分け装置２００の各部を制御する主制御部２５０、主制御部２５０の動作プログラム等を記録したＲＯＭ２５１、主制御部２５０が各部を制御する制御データを読み書き可能に記録するＲＡＭ２５２、操作者による入力操作を受け付ける場合に使用する表示操作部２５３、情報の送受信を行う通信部２５４、及び各種情報を格納する格納部２５５を備えるとともに、紙幣仕分け装置２００の内部には、紙幣Ｓを投入するホッパ２２０、紙幣識別部２１０、収納手段に対応するリジェクトスタッカ２４０、スタッカ２４５Ａ〜２４５Ｂ、精査した紙幣Ｓを振り分ける振り分けゲート２３０を内蔵している。
【００６２】
紙幣仕分け装置２００は、情報入力手段として機能する通信部２５４及び通信回線４００を介して、ホストコンピュータ３００と接続されている。また、正損分離手段に対応する識別部２１０は、確認時固有特徴量認識手段に対応する記番号読取センサ２０１及び、枚数検出センサ２０３を搭載し、回収する紙幣Ｓに対して正損分離処理を行う。
【００６３】
紙幣仕分け装置２００で実施する正損分離処理とは、真偽判定により真券紙幣と偽券紙幣に区分された紙幣のうち真券紙幣を、正損分離基準に基づいて正券紙幣であるか損券紙幣であるかを判定し、物理的に正券紙幣と損券紙幣を区分することを指す。なお、正損分離基準は、予め設定された基準、処理の際に設定する基準、処理する紙幣の損券レベルに応じて算定した基準とすることができる。
【００６４】
また、格納部２５５には、上述したホストコンピュータ３００から受信した回収する紙幣Ｓに関する取引処理時情報を紙幣識別情報２５６として格納するとともに、正損分離基準を示す正損分離基準情報２５７を格納している。
【００６５】
操作者による入力操作を受け付ける場合に使用する表示操作部２５３は、例えば、図９に示すように、正損分離基準情報２５７を設定する際の設定画面２６０を表示する。
【００６６】
分離基準設定手段に対応する設定画面２６０は、正損分離基準情報として各損券分離要素の損券レベルを入力する入力領域２６１と、入力後に数値を有効とする設定ボタン２６２を表示し、正損分離作業前に、作業者によって、設定画面２６０から正損分離基準情報の入力を受け付ける。
【００６７】
このように構成された紙幣仕分け装置２００の説明と紙幣搬送の仕組みについて、図８〜１０とともに説明する。  
作業者によって、現金自動取引装置１００から回収された紙幣Ｓがホッパ２２０に装填されると、紙幣Ｓを１枚ずつ分離して、ホッパ２２０から識別部２１０に搬送する。  
識別部２１０は、枚数検出センサ２０３によって紙幣枚数を検出するとともに、記番号読取センサ２０１により紙幣Ｓの記番号を読み取る。
【００６８】
主制御部２５０は、読み取った記番号情報（確認時固有特徴量認識情報に対応）から記番号を認識し、認識された記番号に基づいて、格納部２５５内の紙幣識別情報２５６を参照し、当該紙幣Ｓに関する真偽判別情報と損券レベル情報を得る。
【００６９】
詳しくは、紙幣識別情報２５６は、ホストコンピュータ３００から受信した回収する紙幣Ｓに関する取引処理時情報であり、取引処理時情報は紙幣識別情報２５と取引管理情報２６とを関連付けて現金自動取引装置１００から受信した情報である。したがって、主制御部２５０は、紙幣Ｓの記番号情報と真偽判定結果情報及び損券レベル情報を関連付けて管理する紙幣識別情報２５に基づく紙幣識別情報２５６から当該紙幣Ｓに関する真偽判別情報と損券レベル情報を得ることができる。
【００７０】
続いて、主制御部２５０は、設定画面２６０から設定された正損分離基準を示す正損分離基準情報２５７（設定正損分離基準情報に対応）と、取得した紙幣識別情報２５６による当該紙幣Ｓの損券レベル情報とを比較し、当該紙幣Ｓが損券紙幣であれば振り分けゲート２３０の駆動によりリジェクトスタッカ２４０へ搬送し、当該紙幣Ｓが正券紙幣であれば振り分けゲート２３０の駆動により特定のスタッカ（例えば２４５Ａ）へ振り分ける。
【００７１】
次に、このように、回収する紙幣Ｓを振り分けするための基となる真偽判別情報や損券レベル情報を、現金自動取引装置１００内の紙幣処理部１１０に搭載された識別部１０において、紙幣識別情報２５を記録する手順について図２，３，１０〜１２を用いて説明する。なお、図１１，１２は、現金自動取引装置１００の入金及び出金動作手順を示したフローチャートであって、各ステップは現金自動取引装置１００の主制御部２０が実行する処理である。
【００７２】
まず、入金取引処理時の手順について、入金取引処理時の動作手順を示したフローチャートである図１１とともに説明する。  
カード受付部１３０への利用者によるカード挿入操作や表示操作部１２０への利用者による入力操作によって入金取引処理が開始すると、入金口１１２に投入された紙幣Ｓを１枚ずつ分離して識別部１０へ搬送する（ステップＳ１０）。
【００７３】
識別部１０へ搬送された入金紙幣Ｓは、識別部１０の真偽判別センサ３によって、真偽判定や金種判定等の複数の判定項目に基づいて紙幣Ｓが正常であるか異常であるかを識別する（ステップＳ１１）。
【００７４】
また、識別部１０では、真偽判別センサ３による真偽判定等に伴って、識別部１０は記番号読取センサ１により紙幣Ｓの記番号画像を取得し、記番号の認識処理を行う（ステップＳ１２）とともに、損券検知センサ２により紙幣Ｓの損券レベルを検出する（ステップＳ１３）。
【００７５】
主制御部２０は、識別部１０によって紙幣Ｓが入金受付可能であると識別されたか否か、つまり真券紙幣と識別されたか偽券紙幣と識別されたかを判定し（ステップＳ１４）、入金受付可能な真券紙幣と識別されると（ステップＳ１４：ＹＥＳ）、紙幣Ｓを識別部１０から一時保留部１１５へ搬送する（ステップＳ１５）。
【００７６】
逆に、ステップＳ１４において、識別部１０によって紙幣Ｓが入金受付不可能な偽券紙幣と識別されると（ステップＳ１４：ＮＯ）、紙幣Ｓを識別部１０から出金返却口１１３へ搬送して返却する（ステップＳ１６）。
【００７７】
そして、紙幣の搬送（ステップＳ１５，１６）の後、主制御部２０は、入金口１１２の紙幣Ｓが全てなくなったか否かを判定し（ステップＳ１７）、入金口１１２にまだ紙幣Ｓがあれば（ステップＳ１７：ＮＯ）、ステップＳ１０へ移行して、入金口１１２から紙幣Ｓを繰り出して識別部１０へ搬送し、上述したように識別部１０で紙幣Ｓを識別する。
【００７８】
なお、このように識別部１０によって入金受付不可能な偽券紙幣と識別された紙幣Ｓは、複数の判定項目のうち少なくとも１つの項目を満足しなかった紙幣であって、例えば、紙幣処理部１１０で取り扱い不可能な金種の紙幣やレシート等の紙幣以外の媒体であるために識別部１０では真券紙幣と判定できなかった紙葉類が含まれている。
【００７９】
また、主制御部２０が、入金口１１２に紙幣Ｓが全てなくなったことを判定すると（ステップＳ１７：ＹＥＳ）、入金口１１２からの繰出しを終了し、表示操作部１２０に紙幣Ｓの金種、枚数、合計金額を表示する。
【００８０】
そして、表示操作部１２０に表示された紙幣Ｓの金種、枚数、合計金額を確認した利用者により入金確定処理操作が行われると（ステップＳ１８：ＹＥＳ）、識別部１０により正券紙幣と識別された紙幣Ｓを、金種情報に従って一時保留部１１５から収納庫１１７Ａ〜１１７Ｃのうちいずれかの対応する収納庫１１７に収納する。
【００８１】
これに対し、紙幣Ｓに汚れ５０や破れ５３等があり、正損判定基準に従って次取引以降の出金取引処理には適さない等の理由で損券紙幣と判定された紙幣Ｓは、一時保留部１１５から回収庫１１６に搬送され、保管される（ステップＳ１９）。
【００８２】
更に、一時保留部１１５から収納庫１１７Ａ〜１１７Ｃあるいは回収庫１１６に搬送された紙幣Ｓに関して、ステップＳ１１〜Ｓ１３で取得した真偽判定結果、記番号認識結果、損券レベル検出結果を紙幣識別情報２５として、図６で示したデータフォーマットに従い、格納部２４に記録し（ステップＳ２０）、入金取引処理を終了する。
【００８３】
一方、表示操作部１２０に表示された紙幣Ｓの金種、枚数、合計金額を確認した利用者により入金取引処理について取り消し操作が入力されると（ステップＳ１８：ＮＯ）、一時保留部１１５に集積した紙幣Ｓを出金返却口１１３へ搬送して利用者に紙幣Ｓを返却し（ステップＳ２１）、入金取引処理を終了する。
【００８４】
次に、出金取引処理時の手順について、出金取引処理時の動作手順を示したフローチャートである図１２とともに説明する。  
前述の入金取引処理と同様に、カード受付部１３０への利用者によるカード挿入操作や表示操作部１２０への利用者による入力操作によって出金取引処理が開始すると、利用者から指定された金額情報に従って、当該収納庫１１７Ａ〜１１７Ｃから該当する紙幣Ｓを１枚ずつ分離して識別部１０へ搬送する（ステップＳ３０）。
【００８５】
識別部１０では、真偽判別センサ３を用い、搬送された紙幣Ｓの真偽判定や金種判定等の複数の判定項目に基づいて紙幣Ｓが正常であるか異常であるかを識別する（ステップＳ３１）。
【００８６】
また、識別部１０では、真偽判別センサ３による真偽判定等に伴って、識別部１０は記番号読取センサ１により紙幣Ｓの記番号画像を取得し、記番号の認識処理を行う（ステップＳ３２）とともに、損券検知センサ２により紙幣Ｓの損券レベルを検出する（ステップＳ３３）。
【００８７】
主制御部２０は、識別部１０によって紙幣Ｓが出金払出可能であると識別されたか否か、つまり真券紙幣と識別されたか偽券紙幣と識別されたかを判定し（ステップＳ３４）、出金払出可能な真券紙幣と識別されると（ステップＳ３４：ＹＥＳ）、紙幣Ｓを識別部１０から出金返却口１１３へ搬送する（ステップＳ３５）。
【００８８】
逆に、ステップＳ３４において、識別部１０によって紙幣Ｓが出金払出不可能な偽券紙幣と識別されると（ステップＳ３４：ＮＯ）、一時保留部１１５へ搬送する（ステップＳ３６）。
【００８９】
そして、紙幣の搬送（ステップＳ３５，３６）の後、主制御部２０は、出金要求枚数が全て繰出されたか否かを判定し（ステップＳ３７）、出金要求枚数を満たしていなければ（ステップＳ３７：ＮＯ）、ステップＳ３０へ移行して、当該収納庫１１７Ａ〜１１７Ｃから紙幣Ｓを繰り出して識別部１０へ搬送し、上述したように識別部１０で紙幣Ｓを識別する。
【００９０】
また、主制御部２０が、出金要求枚数が全て繰出されたことを判定すると（ステップＳ３７：ＹＥＳ）、当該収納庫１１７Ａ〜１１７Ｃからの繰出しを終了し、一時保留部１１５に収納された紙幣Ｓを回収庫１１６に収納する（ステップＳ３８）。
【００９１】
このとき、ステップＳ３１〜Ｓ３３で取得された真偽判定結果、記番号認識結果、損券レベル検出結果を紙幣識別情報２５として、図６で示したデータフォーマットに従って、格納部２４に記録する。しかし、既に同じ記番号の紙幣識別情報が存在する場合には、損券判定日時３５に基づいて新しい情報を紙幣識別情報２５として上書き更新する（ステップＳ３９）。また、正常に出金された紙幣Ｓに関する紙幣識別情報２５を格納部２４から削除し（ステップＳ４０）、出金取引処理を終了する。
【００９２】
以上の処理フローによると、入金取引処理及び出金取引処理において識別部１０を通過した紙幣Ｓについて、紙幣処理部１１０内に存在すべき紙幣Ｓについての紙幣識別情報２５を確実に記録することができる。  
これにより、紙幣識別情報２５に基づいて紙幣処理部１１０内の紙幣枚数管理も同時に行うことが可能となる。
【００９３】
なお、入出金取引処理開始前に、収納庫１１７Ａ〜１１７Ｃに事前に装填された紙幣Ｓも含めて、紙幣識別情報２５の管理を行うためには、紙幣処理部１１０において充填された紙幣Ｓに対して自動精査を実施すればよい。
【００９４】
自動精査処理時の手順では、自動精査処理時の動作手順のフローチャートである図１３に示すように、まず回収庫１１６や一時保留部１１５など、収納庫１１７（１１７Ａ〜１１７Ｃ）以外の場所に紙幣Ｓが無いか否かを判定し（ステップＳ７９）、紙幣Ｓがあれば取り除く（ステップＳ７９：ＮＯ）。収納庫１１７以外の場所に紙幣Ｓがない場合（ステップＳ７９：ＹＥＳ）、格納部２４に登録されている紙幣識別情報２５をクリアする（ステップＳ８０）。
【００９５】
その後、収納庫１１７のうちのいずれから紙幣Ｓを１枚ずつ分離して識別部１０へ搬送する（ステップＳ８１）。なお、本説明では、収納庫１１７Ａから紙幣Ｓを搬送する構成について説明する。
【００９６】
識別部１０へ搬送された紙幣Ｓは、識別部１０の真偽判別センサ３によって、真偽判定や金種判定等の複数の判定項目に基づいて紙幣Ｓが正常であるか異常であるかを識別する（ステップＳ８２）。
【００９７】
また、識別部１０では、真偽判別センサ３による真偽判定等に伴って、識別部１０は記番号読取センサ１により紙幣Ｓの記番号画像を取得し、記番号の認識処理を行う（ステップＳ８３）とともに、損券検知センサ２により紙幣Ｓの損券レベルを検出する（ステップＳ８４）。
【００９８】
主制御部２０は、識別部１０によって紙幣Ｓが正常に識別されたか否か、つまり真券紙幣と識別されたか偽券紙幣と識別されたかを判定し（ステップＳ８５）、正常な真券紙幣と識別されると（ステップＳ８５：ＹＥＳ）、紙幣Ｓを識別部１０から一時保留部１１５へ搬送する（ステップＳ８６）。逆に、ステップＳ８５において、識別部１０によって紙幣Ｓが正常でない偽券紙幣と識別されれば（ステップＳ８５：ＮＯ）、紙幣Ｓを識別部１０から出金返却口１１３へ搬送する（ステップＳ８７）。
【００９９】
この処理（ステップＳ８１〜８７）を、一時保留部１１５の集積容量が満になるまで繰り返し、満になると一時保留部１１５の紙幣Ｓを全て回収庫１１６に収納する（ステップＳ８８）。
【０１００】
また、主制御部２０は、収納庫１１７Ａ内の紙幣Ｓが全て繰出されたか否かを判定し（ステップＳ８９）、残り紙幣があれば（ステップＳ８９：ＮＯ）、ステップＳ８１へ移行して、繰出しを再開し、上述したように識別部１０における紙幣Ｓの識別を実行する。
【０１０１】
これに対して、収納庫１１７Ａが空になると（ステップＳ８９：ＹＥＳ）、収納庫１１７Ａからの繰出しを終了し、先ほどまでの手順と逆に、回収庫１１６内の紙幣Ｓを全て、一時保留部１１５を経由して元の収納庫１１７Ａへ収納させる。（ステップＳ９０）。
【０１０２】
この際、収納庫１１７Ａに収納した紙幣についてステップＳ８２〜Ｓ８４で取得した真偽判定結果、記番号認識結果、損券レベル検出結果を紙幣識別情報２５として、図６で示したデータフォーマットに従い、格納部２４に記録する（ステップＳ９１）。
【０１０３】
なお、収納庫１１７Ｂまたは収納庫１１７Ｃ内の紙幣Ｓについても同様の手順に従い、紙幣識別情報２５を登録する（ステップＳ９２）。最後に出金返却口１１３に集積された紙幣Ｓを取り除き、自動精査処理を終了する。  
以上の手順による自動精査処理を行うことによって、紙幣処理部１１０に装填された全ての紙幣Ｓについて紙幣識別情報２５を確実に登録することができる。
【０１０４】
このように、上述の入出金取引処理及び自動精査処理において判定し、記憶した紙幣識別情報２５は、紙幣Ｓを回収するための収納庫１１７や回収庫１１６の搬出に伴って、通信部２３及び通信回線４００を介してホストコンピュータ３００に送信され、紙幣識別情報２５を受信したホストコンピュータ３００は、データ格納部３１０に格納し、管理する。
【０１０５】
次に、紙幣仕分け装置２００において、上述の処理フローで登録された紙幣識別情報２５に基づいて正損分離処理を行う手順について図８〜１０及び図１４を用いて説明する。
【０１０６】
なお、図１４は紙幣仕分け装置２００による正損分離処理手順を示したフローチャートであり、各ステップは紙幣仕分け装置２００の主制御部２５０が実行する処理である。
【０１０７】
まず、銀行の支店にある現金自動取引装置１００から回収された紙幣Ｓについて、関連する紙幣識別情報２５をホストコンピュータ３００のデータ格納部３１０から受信し、格納部２５５の紙幣識別情報２５６として登録する（ステップＳ４９）。
【０１０８】
具体的な方法としては、紙幣仕分け装置２００の表示操作部２５３への作業者による入力操作によって、ホストコンピュータ３００に対して受信要求を入力してもよいし、回収した紙幣Ｓのうち、後述する手順に従って少数枚をまず紙幣仕分け装置２００にて認識させ、関連する紙幣識別情報２５をホストコンピュータ３００から自動的に受信させてもよい。
【０１０９】
次に、正損分離基準として損券判定要素毎の正損分離基準情報２５７について設定画面２６０からの設定を受け付ける（ステップＳ５０）。この正損分離基準は現金自動取引装置１００の正損判定基準と合わせてもよいし、現金運用手順に従い、紙幣仕分け装置２００側で独自に設定してもよい。さらには、この正損分離処理を行う際にあらかじめ設定してもよい（正損分離基準情報に対応）。
【０１１０】
その後、回収された紙幣Ｓをホッパ２２０から１枚ずつ分離し、識別部２１０へ搬送し（ステップＳ５１）、識別部２１０に搭載された枚数検出センサ２０３により紙幣の枚数をカウントするとともに、記番号読取センサ２０１により紙幣Ｓの記番号画像を取得し、記番号の認識処理を行う（ステップＳ５２）。
【０１１１】
主制御部２５０は、認識した記番号に基づいて格納部２５５に格納した紙幣識別情報２５６と比較照合し、当該紙幣Ｓに対応した紙幣識別情報２５６（真偽判別情報，損券レベル情報）を得る（ステップＳ５３）。
【０１１２】
そして、主制御部２５０は、ステップＳ５０で設定した正損分離基準情報２５７と、ステップＳ５３で取得した紙幣識別情報２５６のうちの損券レベル情報とを比較し、紙幣Ｓが正券紙幣であるか損券紙幣であるかを判定する（ステップＳ５４）。
【０１１３】
正券紙幣であると判定した場合（ステップＳ５４：ＮＯ）、紙幣Ｓをスタッカ（例えば２４５Ａ）に集積し（ステップＳ５５）、損券紙幣であると判定した場合（ステップＳ５４：ＹＥＳ）、紙幣Ｓをリジェクトスタッカ２４０へ集積する（ステップＳ５７）。また、紙幣識別情報２５６の真偽判別情報を参照した結果、偽券紙幣であると判定した場合も紙幣をリジェクトスタッカ２４０に集積する。
【０１１４】
上記の手順（ステップＳ５１〜Ｓ５７）をホッパ２２０に紙幣Ｓがなくなるまで繰り返し（ステップＳ５６）、紙幣仕分け装置２００における正損分離処理を終了する。  
以上の手順によると、紙幣仕分け装置２００において、真偽判別センサ３と損券検知センサ２を搭載していなくとも現金自動取引装置１００と同等の真偽判定及び正損分離処理が実施できる。
【０１１５】
また、紙幣仕分け装置２００は、記番号読取センサ１を備えるという簡素なセンサ構成で実現できるばかりでなく、紙幣仕分け装置２００でのデータ処理負荷が少なくなる分、高速処理を容易に実現することが可能となる。
【０１１６】
また、正損分離処理については紙幣識別情報２５にある損券レベル情報を参照することによって、紙幣仕分け装置２００で設定された正損分離基準に従って、改めて正券紙幣と損券紙幣を分離することができる。
【０１１７】
なお、上述の説明では、紙幣識別情報２５６をホストコンピュータ３００から受信する形式について説明したが、ステップＳ５２で認識した記番号に基づいて、リアルタイムで通信回線４００を経由してホストコンピュータ３００と通信し、該当する紙幣Ｓの紙幣識別情報２５を取得してもよい。
【０１１８】
また、上述の説明では、回収する紙幣Ｓを単純に正券紙幣と損券紙幣の２種類に正損分離処理したが、銀行の運用によっては正損分離の区分を単純に正券紙幣と損券紙幣の２種類だけでなく、ＡＴＭやＣＤなどの自動機の稼動品質を安定させることを目的とした自動機用正券紙幣、主に窓口業務で扱う窓口用正券紙幣、返却処理用の損券紙幣との３種類に分類することがある。このように正損分離基準が複数ある場合の正損分離処理手順を次に説明する。なお、以下の説明では、正損分離基準を２つ持つ場合の正損分離処理手順を示したフローチャートである図１６に基づいて説明する。
【０１１９】
まず、上述したように、銀行の支店にある現金自動取引装置１００から回収された紙幣Ｓについて、関連する紙幣識別情報２５をホストコンピュータ３００のデータ格納部３１０から受信し、格納部２５５の紙幣識別情報２５６として登録する（ステップＳ５９）。
【０１２０】
次に、回収する紙幣Ｓを３つに区分するための正損分離基準として損券判定要素毎に正損分離基準情報２５７を設定する（ステップＳ６０）。  
具体的には、例えば、回収する紙幣Ｓを、自動機用正券紙幣、主に窓口業務で扱う窓口用正券紙幣、返却処理用の損券紙幣との３種類に分類する場合の正損分離基準情報２５７の一例である図１５に示すように、窓口用正券紙幣及び自動機用正券紙幣等の損券要素３６と、損券要素毎に正券紙幣と判別する下限の損券レベル３７とを規定する。
【０１２１】
その後、回収された紙幣Ｓをホッパ２２０から１枚ずつ分離し、識別部２１０へ搬送し（ステップＳ６１）、識別部２１０に搭載された枚数検出センサ２０３により紙幣の枚数をカウントするとともに、記番号読取センサ２０１により紙幣Ｓの記番号画像を取得し、記番号の認識処理を行う（ステップＳ６２）。  
主制御部２５０は、認識した記番号に基づいて格納部２５５に格納した紙幣識別情報２５６と比較照合し、当該紙幣Ｓに対応した紙幣識別情報２５６を得る（ステップＳ６３）。
【０１２２】
そして、主制御部２５０は、ステップＳ６０で設定した正損分離基準情報２５７と、ステップＳ６３で取得した紙幣識別情報２５６のうちの損券レベル情報とを比較し、紙幣Ｓが正券紙幣であるか損券紙幣であるかを判定する（ステップＳ６４）。
【０１２３】
正券紙幣であると判定した場合（ステップＳ６４：ＮＯ）において、当該紙幣Ｓについてさらに、最も程度の良い自動機用正券紙幣であるか、通常の程度である窓口用正券紙幣であるかを正損分離基準情報２５７に従って判定し（ステップＳ６５）、紙幣Ｓが自動機用正券紙幣であれば（ステップＳ６５：ＹＥＳ）、紙幣Ｓを第１スタッカ２４５Ａに集積し（ステップＳ６７）、紙幣Ｓが窓口用正券紙幣であれば（ステップＳ６５：Ｎｏ）、第２スタッカ２４５Ｂに集積する（ステップＳ６６）。
【０１２４】
また、紙幣Ｓを損券紙幣と判定した場合には（ステップＳ６４：ＹＥＳ）、リジェクトスタッカ２４０に集積する（ステップＳ６９）。また、紙幣識別情報２５６の真偽判別情報を参照した結果、偽券紙幣であると判定した場合も紙幣をリジェクトスタッカ２４０に集積する。  
上記の手順（ステップＳ６１〜Ｓ６７）をホッパ２２０に紙幣Ｓがなくなるまで繰り返し（ステップＳ６８）、紙幣仕分け装置２００における正損分離処理を終了する。
【０１２５】
以上の手順によると、紙幣仕分け装置２００において、例えば、ＡＴＭやＣＤなどの自動機の稼動品質を安定させることを目的として自動機用正券紙幣、主に窓口業務で扱う窓口用正券紙幣、返却処理用の損券紙幣との３種類に分類することができる。
【０１２６】
これまで、図５に示すように固定された正損分離基準に基づいて正損分離処理を行う手順について説明したが、この場合、処理すべき紙幣Ｓの損傷程度によって損券比率６０が変動する。そこで回収される紙幣Ｓの損傷の程度に依らず、損券比率６０が一定となるように、正損分離基準情報２５７を算出する場合について、以下の実施例２、３で説明する。
【実施例２】
【０１２７】
この実施例２は、上述の実施例１と比較し、紙幣仕分け装置２００における制御プログラムの一部が異なるのみであるため、異なる制御プログラムの部分について説明する。
【０１２８】
なお、この制御プログラムは、正損分離処理時に正損分離基準情報２５７を、ホストコンピュータ３００のデータ格納部３１０から受信した紙幣識別情報２５に基づいて、一定の損券比率６０となるように主制御部２５０によって算出する機能（算出手段に対応）を備えている。
【０１２９】
このように構成することによって、回収した紙幣Ｓの損傷程度が紙幣回収の度に変化したとしても、正損分離処理において一定量の損券紙幣を分離することができ、正損分離処理に関わる業務負荷を平坦化することが可能となる。
【０１３０】
紙幣仕分け装置２００において正損分離基準を損券比率６０が一定となるように変更する手順についてのフローチャートである図１７とともに、具体的に説明する。なお、各ステップは紙幣仕分け装置２００の主制御部２５０が実行する処理である。
【０１３１】
まず、銀行の支店にある現金自動取引装置１００から回収された紙幣Ｓについて、関連する紙幣識別情報２５をホストコンピュータ３００のデータ格納部３１０から受信し、格納部２５５の紙幣識別情報２５６として登録する（ステップＳ１００）。
【０１３２】
次に、希望する損券比率６０について表示操作部２５３からの入力を受け付ける（ステップＳ１０１）。主制御部２５０は、紙幣識別情報２５６に基づいて、入力された損券比率６０となるよう正損分離基準を算出し（ステップＳ１０２）、正損分離基準情報２５７（算定正損分離基準情報に対応）として記憶する。なお、損券比率６０についての表示操作部２５３からの入力受付けは、この正損分離処理を行う際に、前もって受け付けてもよい。
【０１３３】
算出方法としては、各損券分離要素の損券レベルを変更し、入力された損券比率６０に最も近くなる組み合わせを算出する方式でもよいし、損券判定要素によって重みを付け、例えば、汚れ損券紙幣を主体に、入力された損券比率６０付近で汚れ損券比率６０が最も多くなるように算出してもよい。
【０１３４】
その後、回収された紙幣Ｓをホッパ２２０から１枚ずつ分離し、識別部２１０へ搬送し（ステップＳ１０３）、識別部２１０に搭載された枚数検出センサ２０３により紙幣Ｓの枚数をカウントするとともに、記番号読取センサ２０１により紙幣Ｓの記番号画像を取得し、記番号の認識処理を行う（ステップＳ１０４）。
【０１３５】
主制御部２５０は、認識した記番号に基づいて格納部２５５に格納した紙幣識別情報２５６と比較照合し、当該紙幣Ｓに対応した紙幣識別情報２５６を得る（ステップＳ１０５）。
【０１３６】
そして、主制御部２５０は、ステップＳ１０２で算出した正損分離基準情報２５７と、ステップＳ１０５で取得した紙幣識別情報２５６のうち損券レベル情報とを比較し、紙幣Ｓが正券紙幣であるか損券紙幣であるかを判定する（ステップＳ１０６）。
【０１３７】
正券紙幣であると判定した場合（ステップＳ１０６：ＮＯ）、紙幣Ｓをスタッカ（例えば２４５Ａ）に集積し（ステップＳ１０７）、損券紙幣であると判定した場合（ステップＳ１０６：ＹＥＳ）、紙幣Ｓをリジェクトスタッカ２４０へ集積する（ステップＳ１０９）。また、紙幣識別情報２５６の真偽判別情報を参照した結果、偽券紙幣であると判定した場合も紙幣をリジェクトスタッカ２４０に集積する。
【０１３８】
上記の手順（ステップＳ１０３〜Ｓ１０７，S１０９）をホッパ２２０に紙幣Ｓがなくなるまで繰り返し（ステップＳ１０８）、紙幣仕分け装置２００における正損分離処理を終了する。  
以上の手順によると、紙幣Ｓの損傷の程度に依らず希望した損券比率６０で正損分離処理を行うことが可能である。
【０１３９】
なお、本実施例では、紙幣仕分け装置２００で正損分離基準情報２５７を変更する手順を説明したが、ホストコンピュータ３００で設定してもよい。詳しくは、例えば、現金管理業務を請け負う警備会社の現金センタなどでは複数の現金自動取引装置１００を対象とし、大量に集められた紙幣Ｓを複数の紙幣仕分け装置２００で正損分離処理を行う。このような場合には、紙幣仕分け装置２００上ではなく、ホストコンピュータ３００上で一定の損券比率６０となるように正損分離基準情報２５７を算出するという実行プログラムを採用してもよい。その手順について、以下の実施例３で説明する。
【実施例３】
【０１４０】
実施例３では、実施例１と比較してホストコンピュータ３００と紙幣仕分け装置２００の制御プログラムが一部異なるのみである。このため、異なる制御プログラムの部分について説明する。
【０１４１】
なお、この制御プログラムは、ホストコンピュータ３００において、ホストコンピュータ３００のデータ格納部３１０上にある紙幣識別情報２５に基づいて一定の損券比率６０となるように正損分離基準を算出し、紙幣仕分け装置２００では算出された正損分離基準を正損分離基準情報２５７（算定正損分離基準情報に対応）として受信する機能を備えている（算出手段に対応）。
【０１４２】
このように構成することによって、回収した紙幣Ｓの損傷程度が紙幣回収のたびに変化したとしても、複数の紙幣仕分け装置２００を用い、回収する大量の紙幣Ｓを処理する正損分離処理において一定量の損券紙幣を分離することができ、正損分離処理に関わる業務負荷を平坦化することが可能となる。
【０１４３】
複数の紙幣仕分け装置２００においても、損券比率６０が一定となるように正損分離基準を変更する手順を示したフローチャートである図１８とともに、具体的に説明する。なお、各ステップはホストコンピュータ３００の主制御部３５０が実行する処理である。
【０１４４】
まず、管理者による管理者入力部３５５からの希望する損券比率６０の入力を受け付け、設定する（ステップＳ７０）。  
なお、損券比率６０の設計は、ホストコンピュータ３００における管理者入力部３５５から入力を受け付けてもよいし、紙幣仕分け装置２００の表示操作部２５３からの設定を受け付け、ホストコンピュータ３００に送信し、設定してもよい。
【０１４５】
次に、主制御部３５０は、ホストコンピュータ３００に集約されている紙幣識別情報２５に基づいて、ステップＳ７０で設定された損券比率６０となるように紙幣仕分け装置２００で使用される正損分離基準情報２５７を作成する（ステップＳ７１）。
【０１４６】
そして、紙幣仕分け装置２００にて正損分離処理を行う際に、紙幣識別情報２５をホストコンピュータ３００から受信するとともに（ステップＳ７２）、ステップＳ７１で、ホストコンピュータ３００にて作成した正損分離基準情報２５７をホストコンピュータ３００から紙幣仕分け装置２００の格納部２５５へ受信する（ステップＳ７３）。以下の処理は、実施例２におけるステップＳ１０３乃至Ｓ１０８と同様の手順を行う。
【０１４７】
以上の手順によると、集約された紙幣識別情報２５に基づいて正損分離基準を定めるため、個別の紙幣仕分け装置２００毎に正損分離基準を定めるよりも、確実に損券比率６０の変動をより抑えることができる。
【０１４８】
また、上述の実施例３ではホストコンピュータ３００から紙幣識別情報２５と、設定、あるいは算定された正損分離基準情報２５７を紙幣仕分け装置２００で受信したが、ホストコンピュータ３００で設定した正損分離基準情報２５７に基づいて、主制御部３５０によって正損分離判定を行った判定結果を紙幣識別情報２５に含めて紙幣仕分け装置２００で受信し、ホストコンピュータ３００で行った正損分離判定結果に応じて、紙幣仕分け装置２００で正損分離処理を行ってもよい。
【０１４９】
この場合、紙幣識別情報のデータフォーマットの一例である図１９に示すように、ホストコンピュータ３００にて正損判定を行った判定日時情報３８、及び正損判定結果情報３９をホストコンピュータ３００から受信し、紙幣仕分け装置２００は、認識した記番号に対応した紙幣Ｓの正損判定結果を参照することで、容易に正損分離することができる。
【０１５０】
また、判定日時情報３８（時間情報に対応）を合わせて付与することで、ホストコンピュータ３００にて正損分離判定を行ったタイミングが明らかとなり、ホストコンピュータ３００の正損分離基準が更新されたとしても、更新の日時と判定日時情報３８を比較することで誤った判定結果に基づいて正損分離処理を行う惧れを回避することができる。
【０１５１】
ところで、紙幣仕分け装置２００により窓口用正券紙幣あるいは自動機用正券紙幣と判定された紙幣Ｓは市場へ再度流通することとなる。流通紙幣についてはホストコンピュータ３００上の紙幣識別情報２５を再利用してもよい。具体的には現金自動取引装置１００においても記番号読取センサ１のみを使用するだけでホストコンピュータ３００上の紙幣識別情報２５を参照すれば損券レベルを検出することができる。紙幣Ｓの損傷レベルは時間の経過と共に変化するが、紙幣識別情報２５の損券判定日時３５の情報を利用し、有効期限を設けることで、一旦判定した後も信頼性のある情報として識別情報を利用することができる。
【０１５２】
一方、紙幣仕分け装置２００の正損分離処理において、損券紙幣もしくは偽券紙幣と判定された紙幣Ｓは発行元へ回収されるが、回収されたタイミングでホストコンピュータ３００上の紙幣識別情報２５を消去すれば、データ格納部３１０を効率よく活用することができる。
【０１５３】
また、上述の説明では、現金自動取引装置１００、ホストコンピュータ３００及び紙幣仕分け装置２００の相互間の情報伝達手段として通信回線４００を用いたが、オフラインでもこのシステムは実現可能である。
【０１５４】
例えば、図２０に示すように、紙幣処理部１１０において各回収庫１１６及び収納庫１１７Ａ〜１１７Ｃにメモリ１１９（記憶手段、取引処理時情報出力手段及び取引処理時情報出力手段に対応）を搭載し、収納された紙幣Ｓに関する紙幣識別情報２５をメモリ１１９に記憶させてもよい。この場合、紙幣回収の際には収納庫ごと運搬し、紙幣回収先での正損分離処理の際にはメモリ１１９に記憶した紙幣識別情報２５を読み取り、紙幣仕分け装置２００に入力すればよい。
【０１５５】
また、本実施例では記番号を紙幣Ｓの持つ固有特徴量として取扱い、真偽判定結果と損券レベルとを関連付ける場合について説明したが、紙幣Ｓの固有特徴量としては記番号に限定されず、例えば、バーコードやＩＣチップ等、紙幣Ｓが個別に認識可能な情報であればよい。
【０１５６】
また、記番号やバーコード等の固有特徴量が文字あるいはコードとして認識処理できない場合には、記番号やバーコードの画像情報を当該紙幣の固有特徴量として扱ってもよい。この場合には、紙幣仕分け装置２００で読み取った画像情報と紙幣識別情報２５６として記憶されている画像情報との画像照合処理を行えばよい。
【０１５７】
さらには、図２１で示したように、例えば、紙幣Ｓ自体にＩＣチップ７０を搭載した場合においては、紙幣処理部１１０で検出されたそれぞれの紙幣識別情報２５をそれぞれのＩＣチップ７０へ書き込み、紙幣仕分け装置２００による正損分離処理の際にはＩＣチップ７０の情報を読み取ればよい。
【０１５８】
また、上述の説明では、本発明に関わる紙葉類処理装置及び紙葉類仕分けシステムを、紙幣Ｓを正損分離処理する紙幣仕分け装置２００を用いた場合について説明したが、本発明はこれのみに限定するものではなく、これ以外に商品券や小切手などの有価証券など、固有の特徴量を持つ媒体を正損分離処理する仕分け装置としてもよい。
【符号の説明】
【０１５９】
Ｓ…紙幣，１…記番号読取センサ，２…損券検知センサ，３…真偽判別センサ，１０…識別部，２０…主制御部，２３…通信部，２４…格納部，２５…紙幣識別情報，３２…記番号，３３…真偽判定結果，３４…各損券判定要素の損券レベル，３５…損券判定日時，３７…各紙幣区分の損券レベル，３８…正券判定日時，３９…正損判定結果，７０…ＩＣチップメモリ，１００…現金自動取引装置，１１０…紙幣処理部，１１５…一時保留部，１１６…回収庫，１１７Ａ〜１１７Ｃ…収納庫，１１８…収納部，１１９…メモリ，１５０…紙幣仕分けシステム，２００…紙幣仕分け装置，２０１…記番号読取センサ，２０３…枚数検出センサ，２４０…リジェクトスタッカ，２４５Ａ…第１スタッカ，２４５Ｂ…第２スタッカ，２５０…主制御部，２５４…通信部，２５５…格納部，２５６…紙幣識別情報，２５７…正損分離基準情報，２６０…正損分離基準情報の設定画面，３００…ホストコンピュータ，３１０…データ格納部，３５０…主制御部，３５１…通信部，４００…通信回線
【図１】
0005631786.tif 000002
【図２】
0005631786.tif 000003
【図３】
0005631786.tif 000004
【図４】
0005631786.tif 000005
【図５】
0005631786.tif 000006
【図６】
0005631786.tif 000007
【図７】
0005631786.tif 000008
【図８】
0005631786.tif 000009
【図９】
0005631786.tif 000010
【図１０】
0005631786.tif 000011
【図１１】
0005631786.tif 000012
【図１２】
0005631786.tif 000013
【図１３】
0005631786.tif 000014
【図１４】
0005631786.tif 000015
【図１５】
0005631786.tif 000016
【図１６】
0005631786.tif 000017
【図１７】
0005631786.tif 000018
【図１８】
0005631786.tif 000019
【図１９】
0005631786.tif 000020
【図２０】
0005631786.tif 000021
【図２１】
0005631786.tif 000022